(57)【特許請求の範囲】
【請求項１】
ペーパ巻取用の複数のシャフトを、移送方向に傾斜して配設したヒータボックス上を連続的に移送しながら加熱し、そのシャフトの一個ずつをペーパ巻取り装置の一対の駆動ロール上に順次送り込み、そのシャフトの外周に巻始め端を水等で湿潤したペーパを巻付け、所定の径のシャフト付ペーパロールに形成後、ペーパを切断し、切断したシャフト付ペーパロールを所定の時間をかけながらシャフト抜き装置に送り、そこでペーパロールを抜き出して、シャフトのみを上記のごとく連続的に移送しながら加熱してシャフトの循環を自動的に行なう芯なしトイレットペーパロールの製造方法。
【請求項２】
ペーパ巻取用の複数のシャフトを，移送方向に傾斜して配設したヒータボックス上を連続的に移送しながら加熱するシャフトの連続加熱装置と、そこからシャフトを一個ずつペーパ巻取り装置の一対の駆動ロール上に送り込む手段と、その駆動ロール上でシャフトの外周に巻始め端を水等で湿潤したペーパを巻付け所定の径のシャフト付ペーパロールに形成後ペーパを切断する手段と、切断したシャフト付ペーパロールを所定の時間をかけながらシャフト抜き装置に送り込む手段と、ペーパロールを抜出したシャフトをシャフトの連続加熱装置に送りこむ手段とからなる芯なしトイレットペーパロールの製造装置。
【発明の詳細な説明】
【０００１】
【発明の属する技術分野】
本発明は、芯なしトイレットペーパロールの製造方法及び装置に関する。
【０００２】
【従来の技術】
従来、芯なしトイレットペーパを製造するためには種々の考案及び発明がなされている。
即ち、実開平３−５８１８６号及び実開平３−５８１８７号の考案においては、巻取軸に巻取られるペーパの巻始め端に水や接着剤液を塗布してロールを形成し、巻取り軸を拡径方向に作用させることによって巻芯部を固着し、ロール中心に軸孔を生成することを意図したコアレストイレットペーパロールを開示している。
【０００３】
上記の考案は、ロール中心の孔を保形する目的のものであるが、この場合塗布された接着際液が周囲の巻層に含浸し、短時間の巻取時間内で巻取軸を抜去した後も巻芯部の層に水分を含んだまま残留するので、かえってロール中心孔のつぶれを惹起する不具合を生じる。
そこで、ペーパ巻取用の巻取軸を加熱して巻取り用に供し、この巻始め端に水又は接着剤液を塗布してペーパの巻取りを進行させ、上記巻始め端に塗布された水又は接着剤液を上記加熱巻取り軸により乾燥して巻芯部に保形層を形成して巻芯部に剛性を付与するようにしたコアレスペーパロールの製法とこれに用いる装置と巻取軸に関する特公平７−５３５４６号の発明もなされている。
【０００４】
しかしながら、上記公知の発明においても、加熱した巻取軸を巻取り用に供する際には、人手などによりペーパ巻取り装置の駆動ロール上に手で送り込んでおり、また、巻取軸上に巻始め部を接着させて所定の径のペーパロールに形成後、ペーパを切断した状態で巻芯部に浸潤した水又は接着剤液を乾燥させた後、巻取軸をペーパロールから抜去しないと、コアレスのペーパロールの中心孔がつぶれるので巻取軸抜去装置へ巻取軸付きペーパロールを送り込む前に所定の時間放置しなければならず、これらの工程がすべて人手によって行なわれているのが現状であった。
【０００５】
【発明が解決しようとする課題】
本発明は上記のごとく、ペーパ巻取用の巻取軸、即ちシャフトを連続して加熱する工程と、そのシャフトを一個ずつペーパ巻取り装置に送り込む工程と、ペーパロールに形成後に所定の時間経過後にシャフト抜き装置に送り込む工程と、そこからシャフトのみをふたたび加熱する工程へ送り込む一連のシャフトの循環工程を人手をかけずに自動的に行ないうる芯なしトイレットペーパロールの製造方法及び装置を提供することを課題としたものである。
【０００６】
【課題を解決するための手段】
本発明は、ペーパ巻取用の複数のシャフトを，移送方向に傾斜して配設したヒータボックス上を連続的に移送しながら加熱し、そのシャフトの一個ずつをペーパ巻取り装置の一対の駆動ロール上に順次送り込み、そのシャフトの外周に巻始め端を水等で湿潤したペーパを巻付け、所定の径のシャフト付ペーパロールに形成後、ペーパを切断し、切断したシャフト付ペーパロールを所定の時間をかけながらシャフト抜き装置に送り、そこでペーパロールを抜き出して、シャフトのみを上記のごとく連続的に移送しながら加熱してシャフトの循環を自動的に行なう芯なしトイレットペーパロールの製造方法からなる。
【０００７】
本発明は、ペーパ巻取用の複数のシャフトを，移送方向に傾斜して配設したヒータボックス上を連続的に移送しながら加熱するシャフトの連続加熱装置と、そこからシャフトを一個ずつペーパ巻取り装置の一対の駆動ロール上に送り込む手段と、その駆動ロール上でシャフトの外周に巻始め端を水等で湿潤したペーパを巻付け所定の径のシャフト付ペーパロールに形成後ペーパを切断する手段と、切断したシャフト付ペーパロールを所定の時間をかけながらシャフト抜き装置に送り込む手段と、ペーパロールを抜出したシャフトをシャフトの連続加熱装置に送りこむ手段とからなる芯なしトイレットペーパロールの製造装置からなる。
【０００８】
【発明の実施の形態】
以下図面を参照して本発明の製造方法を適用する芯なしトイレットペーパの製造装置の一実施形態を説明する。
まず、図１の本発明の概略説明図において、上部にはペーパ巻取用の複数のシャフト１を連続して加熱する連続加熱装置２が図中左下がりに傾斜して配設され、その底部にはボックス内が１２０°から１３０°に加熱されるヒータボックス３が設けられている。
【０００９】
次に、上記の加熱されたシャフト１はその下流端で一個ずつシリンダ４により押上げられ、図中左側に垂直に設けられたエアシリンダ、例えばロットレスシリンダ５と称する送り込み手段等によりペーパ巻取装置６に送り込まれる。
このペーパ巻取装置６は近接して並置した一対の駆動ロール７，７と押えロール８とからなり、この一対の駆動ロール７，７上に送り込まれたシャフト１は一方向に回転しつつ、左方の駆動ロール７から矢印Ｐのごとく供給されるペーパを巻き取るが、そのペーパＰの巻始め端を図示していないエアノズルによりシャフト１に巻き付けることになる。
【００１０】
その際、ペーパＰの巻始め端のみに水または接着剤液等を吹き付け塗布するノズル９が設けられている。
すなわち、上記水等を巻始め端に付着させてペーパＰを巻き付け、所定の径のシャフト付ペーパロールに形成されたことを確認後、上記駆動ロール７を一時停止の上、駆動ロール７の右側に設けられた転送板１０上に巻き上がったシャフト付ペーパロールが図示されていないロール押出し手段により押し出され、次いでペーパＰの終端部をカッター１６により切断する。
【００１１】
次に終端部を切断されたシャフト付ペーパロール１２はシリンダ１３に押されて図１のチェンコンベア１４に一個ずつ順次送り込まれる。
このチェンコンベア１４は、モータによりチェンが間欠的に移動することにより複数のシャフト付ペーパロール１２を図中の右側のシャフト抜き装置１５に送り、そこでシャフト１を抜き取られ、筒状のペーパロールは図の右側に運ばれ、抜き取ったシャフト１はロットレスシリンダ５により上方に運搬される。
【００１２】
上記シャフト抜き装置１５でシャフト１を抜かれたペーパロールは、その後所定の巾に切断された後、芯なしトイレットペーパロールの製品となるが、その工程は図１には示していない。
一方、上記ペーパロールを抜き出したシャフト１のみは、図中の右側に立設したエアシリンダ、例えばロットレスシリンダ５と称する送り込み手段により、前記連続加熱装置２に順次送り込まれ、連続加熱装置２の傾斜面に沿って右方から左方へと再加熱されながら移動し、再びペーパロールのシャフトとして使用される。
【００１３】
以上のごとく、本発明の芯なしトイレットペーパロールの製造方法及び装置では、芯なしトイレットペーパロールの製造方法及び装置では、芯なしトイレットペーパロールの製造の行程でペーパを外周に巻き取り、そしてペーパロールから抜き取られるシャフト１を加熱しながら再使用するように順次循環しており、シャフト１に人の手が触れることなく自動循環させていることを特徴としている。
【００１４】
【発明の効果】
以上に説明した本発明の方法及び装置によれば、芯なしトイレットペーパロール形成のために必要とされる巻取軸またはシャフトを加熱して供給する作業を人手によらず全自動とすることができ、しかもシャフトは循環して再使用することになり、芯なしトイレットペーパロール製造工程の省力化に寄与するものであり、その作業能率の向上と作業コストの低減をはかることができる。
【図面の簡単な説明】
【図１】本発明の製造方法を適用する芯なしトイレットペーパの製造装置の一実施形態を説明する概略フロー側面図である。
【符号の説明】
１      シャフト                  ２      連続加熱装置
６      ペーパ巻取り装置          ７      駆動ロール
１２      シャフト付ペーパロール  １５      シャフト抜き装置
Ｐ        ペーパ
【図１】
0003791851.tif 000002